(57)【特許請求の範囲】
【請求項１】
複数の太陽電池セルと、上記太陽電池セルの表面及び隣接する太陽電池セルの裏面にそれぞれ形成された電極上に接着され、複数の上記太陽電池セル同士を接続するタブ線とを備え、
上記タブ線は、線状をなし、上記電極との接着部を含む外周面を覆う接着剤層が長手方向に亘って形成されることにより、上記接着剤層によって上記外周面の６０〜８０％が覆われて上記電極と接着されており、
上記タブ線は、断面が円形状又は楕円形状をなし、
断面長軸方向の半径をｂとし、断面短軸方向の半径をａとしたとき、下記式を満たし、
上記接着剤層は、９０°剥離試験により測定された接着強度が０．６〜２．０（Ｎ／ｍｍ）である太陽電池モジュール。
０．４≦ａ≦２  （単位ｍｍ）
ａ≦ｂ≦２  （単位ｍｍ）
【請求項２】
上記タブ線は、断面積が０．５〜１３．０（ｍｍ２）である請求項１に記載の太陽電池モジュール。
【請求項３】
上記タブ線は、断面が円形状をなし、
半径をａとしたとき、下記式を満たし、
上記接着剤層は、９０°剥離試験により測定された接着強度が１．０〜２．０（Ｎ／ｍｍ）である請求項１に記載の太陽電池モジュール。
１≦ａ≦２  （単位ｍｍ）
【請求項４】
上記タブ線は、断面積が３．１４〜１２．５６（ｍｍ２）である請求項３に記載の太陽電池モジュール。
【請求項５】
線状のタブ線を用い、
太陽電池セルの表面電極に上記タブ線の一端側を配置し、上記太陽電池セルと隣接する太陽電池セルの裏面電極に上記タブ線の他端側を配置する工程と、
上記タブ線を上記表面電極及び上記裏面電極へ熱加圧し、上記表面電極及び上記裏面電極と上記タブ線との間に流動した接着剤層によって上記タブ線を上記表面電極及び上記裏面電極へ接着する工程とを有し、
上記タブ線は、上記表面電極及び上記裏面電極に配置された上記接着剤層によって、上記外周面の６０〜８０％が覆われており、
上記タブ線は、断面が円形状又は楕円形状をなし、
断面長軸方向の半径をｂとし、断面短軸方向の半径をａとしたとき、下記式を満たし、
上記接着剤層は、９０°剥離試験により測定された接着強度が０．６〜２．０（Ｎ／ｍｍ）である太陽電池モジュールの製造方法。
０．４≦ａ≦２  （単位ｍｍ）
ａ≦ｂ≦２  （単位ｍｍ）
【請求項６】
上記タブ線は、断面積が０．５〜１３．０（ｍｍ２）である請求項５に記載の太陽電池モジュールの製造方法。
【請求項７】
上記タブ線は、断面が円形状をなし、
半径をａとしたとき、下記式を満たし、
上記接着剤層は、９０°剥離試験により測定された接着強度が１．０〜２．０（Ｎ／ｍｍ）である請求項５に記載の太陽電池モジュールの製造方法。
１≦ａ≦２  （単位ｍｍ）
【請求項８】
上記タブ線は、断面積が３．１４〜１２．５６（ｍｍ２）である請求項７に記載の太陽電池モジュールの製造方法。
【請求項９】
太陽電池セルの表面及び隣接する太陽電池セルの裏面にそれぞれ形成された電極上に接着され、複数の上記太陽電池セル同士を接続するタブ線において、
線状をなし、長手方向に亘って外周面の６０〜８０％が接着剤層によって覆われ、上記接着剤層によって上記電極と接着され、
断面が円形状又は楕円形状をなし、
断面長軸方向の半径をｂとし、断面短軸方向の半径をａとしたとき、下記式を満たし、
９０°剥離試験により測定された接着強度が０．６〜２．０（Ｎ／ｍｍ）である上記接着剤層により覆われているタブ線。
０．４≦ａ≦２  （単位ｍｍ）
ａ≦ｂ≦２  （単位ｍｍ）
【請求項１０】
断面積が０．５〜１３．０（ｍｍ２）である請求項９に記載のタブ線。
【請求項１１】
断面が円形状をなし、
半径をａとしたとき、下記式を満たし、
９０°剥離試験により測定された接着強度が１．０〜２．０（Ｎ／ｍｍ）である上記接着剤層により覆われている請求項９に記載のタブ線。
１≦ａ≦２  （単位ｍｍ）
【請求項１２】
断面積が３．１４〜１２．５６（ｍｍ２）である請求項１１に記載のタブ線。
【発明の詳細な説明】
【技術分野】
【０００１】
本発明は、タブ線によって複数の太陽電池セルが接続された太陽電池モジュールに関し、特に線状のタブ線、このタブ線を用いた太陽電池モジュール及び太陽電池モジュールの製造方法に関するものである。
【背景技術】
【０００２】
例えば結晶シリコン系太陽電池モジュールでは、複数の隣接する太陽電池セルが、インターコネクタとなるタブ線により接続されている。タブ線は、その一端側を一の太陽電池セルの表面電極に接続され、他端側を隣接する太陽電池セルの裏面電極に接続することにより、各太陽電池セルを直列に接続する。このとき、タブ線は、一端側の一面側が一の太陽電池セルの表面電極に接着され、他端側の他面側が隣接する太陽電池セルの裏面電極に接着されている。
【０００３】
具体的に、太陽電池セルは、受光面に銀ペーストのスクリーン印刷によりバスバー電極が形成され、太陽電池セルの裏面接続部にＡｇ電極が形成されている。なお、太陽電池セル裏面の接続部以外の領域はＡｌ電極やＡｇ電極が形成されている。
【０００４】
また、図１１に示すように、タブ線５０は、リボン状銅箔５１の両面にハンダコート層５２が設けられることにより形成される。具体的に、タブ線は、厚さ０．０５〜０．２ｍｍ程度に圧延した銅箔をスリットし、あるいは銅ワイヤーを平板状に圧延するなどして得た幅１〜３ｍｍの平角銅線に、ハンダメッキやディップハンダ付け等を施すことにより形成される。
【０００５】
太陽電池セルとタブ線との接続は、タブ線を太陽電池セルの各電極上に配置し、加熱ボンダーによって熱加圧することにより、タブ線表面に形成したハンダを溶融、冷却することにより行う（特許文献１）。
【０００６】
しかし、半田付けでは約２６０℃と高温による接続処理が行われるため、太陽電池セルの反りや、タブ線と表面電極及び裏面電極との接続部に生じる内部応力、さらにフラックスの残渣等により、太陽電池セルの表面電極及び裏面電極とタブ線との間の接続信頼性が低下することが懸念される。
【０００７】
そこで、従来、太陽電池セルの表面電極及び裏面電極とタブ線との接続に、比較的低い温度での熱圧着処理による接続が可能な導電性接着フィルムが使用されている（特許文献２）。このような導電性接着フィルムとしては、平均粒径が数μｍオーダーの球状または鱗片状の導電性粒子を熱硬化型バインダー樹脂組成物に分散してフィルム化したものが使用されている。
【０００８】
導電性接着フィルムは、表面電極及び裏面電極とタブ線との間に介在された後、タブ線の上から加熱ボンダーによって熱加圧されることにより、バインダー樹脂が流動性を示して電極、タブ線間より流出されるとともに、導電性粒子が電極とタブ線間の導通を図り、この状態でバインダー樹脂が熱硬化する。これにより、タブ線によって複数の太陽電池セルが直列接続されたストリングスが形成される。
【０００９】
導電性接着フィルムを用いてタブ線と表面電極及び裏面電極とが接続された複数の太陽電池セルは、ガラス、透光性プラスチックなどの透光性を有する表面保護材と、ＰＥＴ（Poly Ethylene Terephthalate）等のフィルムからなる背面保護材との間に、エチレンビニルアセテート樹脂（ＥＶＡ）等の透光性を有する封止材により封止される。
【先行技術文献】
【特許文献】
【００１０】
【特許文献１】特開２００４−３５６３４９号公報
【特許文献２】特開２００８−１３５６５４号公報
【発明の概要】
【発明が解決しようとする課題】
【００１１】
しかし、上述したように、タブ線は、厚さ０．０５〜０．２ｍｍ程度に圧延した銅箔をスリットし、あるいは銅ワイヤーを平板状に圧延するなどして、平角銅線を形成する必要があり、製造工数が増える。
【００１２】
また、平角導線からなるタブ線は、幅２〜３ｍｍ程度の幅を有し、これを太陽電池セルの受光面に接着した場合、タブ線の幅に応じたシャドーロスが発生してしまう。
【００１３】
そこで、本発明は、製造が容易で、またシャドーロスの低減を図ることができるタブ線、当該タブ線を用いた太陽電池セル及び太陽電池モジュールの製造方法を提供することを目的とする。
【課題を解決するための手段】
【００１４】
上述した課題を解決するために、本発明に係る太陽電池モジュールは、複数の太陽電池セルと、上記太陽電池セルの表面及び隣接する太陽電池セルの裏面にそれぞれ形成された電極上に接着され、複数の上記太陽電池セル同士を接続するタブ線とを備え、上記タブ線は、線状をなし、上記電極との接着部を含む外周面を覆う接着剤層が長手方向に亘って形成されることにより、上記接着剤層によって上記外周面の６０〜８０％が覆われて上記電極と接着されており、上記タブ線は、断面が円形状又は楕円形状をなし、断面長軸方向の半径をｂとし、断面短軸方向の半径をａとしたとき、下記式を満たし、上記接着剤層は、９０°剥離試験により測定された接着強度が０．６〜２．０（Ｎ／ｍｍ）であるものである。
０．４≦ａ≦２  （単位ｍｍ）
ａ≦ｂ≦２  （単位ｍｍ）
【００１５】
また、本発明に係る太陽電池モジュールの製造方法は、線状のタブ線を用い、太陽電池セルの表面電極に上記タブ線の一端側を配置し、上記太陽電池セルと隣接する太陽電池セルの裏面電極に上記タブ線の他端側を配置する工程と、上記タブ線を上記表面電極及び上記裏面電極へ熱加圧し、上記表面電極及び上記裏面電極と上記タブ線との間に流動した接着剤層によって上記タブ線を上記表面電極及び上記裏面電極へ接着する工程とを有し、上記タブ線は、上記表面電極及び上記裏面電極に配置された上記接着剤層によって、上記外周面の６０〜８０％が覆われており、上記タブ線は、断面が円形状又は楕円形状をなし、断面長軸方向の半径をｂとし、断面短軸方向の半径をａとしたとき、下記式を満たし、上記接着剤層は、９０°剥離試験により測定された接着強度が０．６〜２．０（Ｎ／ｍｍ）であるものである。
０．４≦ａ≦２  （単位ｍｍ）
ａ≦ｂ≦２  （単位ｍｍ）
【００１６】
また、本発明に係るタブ線は、太陽電池セルの表面及び隣接する太陽電池セルの裏面にそれぞれ形成された電極上に接着され、複数の上記太陽電池セル同士を接続するタブ線において、線状をなし、長手方向に亘って外周面の６０〜８０％が接着剤層によって覆われ、上記接着剤層によって上記電極と接着され、断面が円形状又は楕円形状をなし、断面長軸方向の半径をｂとし、断面短軸方向の半径をａとしたとき、下記式を満たし、９０°剥離試験により測定された接着強度が０．６〜２．０（Ｎ／ｍｍ）である上記接着剤層により覆われているものである。
０．４≦ａ≦２  （単位ｍｍ）
ａ≦ｂ≦２  （単位ｍｍ）
【発明の効果】
【００１７】
本発明によれば、線状のタブ線を用いることにより、圧延銅箔を形成しスリットする工程や、銅線を平板状に圧延する工程が不要となり、製造設備や工数の削減を図ることができ、また、製造コストを抑えることもできる。また、本発明によれば、線状のタブ線を用いることにより、平板状のタブ線を用いた場合に比して、太陽電池セルの受光面に載置される面積を狭小化することができ、シャドーロスによる光電変換効率の低減を抑えることができる。
【図面の簡単な説明】
【００１８】
【図１】太陽電池モジュールを示す分解斜視図である。
【図２】太陽電池セルのストリングスを示す断面図である。
【図３】太陽電池セルの裏面電極及び接続部を示す平面図である。
【図４】タブ線の接着状態を示す断面図である。
【図５】線材の断面寸法を説明するための図である。
【図６】予め線材が接着剤層によって被覆されたタブ線を示す図であり、（ａ）は断面図、（ｂ）は斜視図である。
【図７】導電性接着フィルムを示す断面図である。
【図８】リール状に巻回された導電性接着フィルムを示す図である。
【図９】実施例を示す斜視図である。
【図１０】比較例を示す斜視図である。
【図１１】従来のタブ線を示す斜視図である。
【発明を実施するための形態】
【００１９】
以下、本発明が適用されたタブ線、このタブ線を用いた太陽電池モジュール及び太陽電池モジュールの製造方法について、図面を参照しながら詳細に説明する。なお、本発明は、以下の実施形態のみに限定されるものではなく、本発明の趣旨を逸脱しない範囲内において種々の変更が可能であることは勿論である。
【００２０】
［太陽電池モジュール］
本発明が適用された太陽電池モジュール１は、図１〜図３に示すように、複数の太陽電池セル２がインターコネクタとなるタブ線３によって直列に接続されたストリングス４を有し、このストリングス４を複数配列したマトリクス５を備える。そして、太陽電池モジュール１は、このマトリクス５が封止接着剤のシート６で挟まれ、受光面側に設けられた表面カバー７及び裏面側に設けられたバックシート８とともに一括してラミネートされ、最後に、周囲にアルミニウムなどの金属フレーム９が取り付けられることにより形成される。
【００２１】
封止接着剤としては、例えばエチレンビニルアセテート樹脂（ＥＶＡ）等の透光性封止材が用いられる。また、表面カバー７としては、例えば、ガラスや透光性プラスチック等の透光性の材料が用いられる。また、バックシート８としては、ガラスやアルミニウム箔を樹脂フィルムで挟持した積層体等が用いられる。
【００２２】
太陽電池モジュールの各太陽電池セル２は、光電変換素子１０を有する。光電変換素子１０は、単結晶型シリコン光電変換素子、多結晶型光電変換素子を用いる結晶シリコン系太陽電池や、アモルファスシリコンからなるセルと微結晶シリコンやアモルファスシリコンゲルマニウムからなるセルとを積層させた光電変換素子を用いた薄膜シリコン系太陽電池、いわゆる化合物薄膜系、有機系、量子ドット型など、各種光電変換素子１０を用いることができる。
【００２３】
また、光電変換素子１０は、受光面側に内部で発生した電気を集電するフィンガー電極１２とフィンガー電極１２の電気を集電するバスバー電極１１とが設けられている。バスバー電極１１及びフィンガー電極１２は、太陽電池セル２の受光面となる表面にＡｇペーストがスクリーン印刷等により塗布された後、焼成されることにより形成される。また、フィンガー電極１２は、受光面の全面に亘って、例えば約５０〜２００μｍ程度の幅を有するラインが、所定間隔、例えば２ｍｍおきに、ほぼ平行に複数形成されている。バスバー電極１１は、フィンガー電極１２と略直交するように形成され、また、太陽電池セル２の面積に応じて複数形成されている。
【００２４】
また、光電変換素子１０は、受光面と反対の裏面側に、アルミニウムや銀からなる裏面電極１３が設けられている。裏面電極１３は、図２及び図３に示すように、アルミニウムや銀からなる電極が例えばスクリーン印刷やスパッタ等により太陽電池セル２の裏面に形成される。裏面電極１３は、後述するタブ線３が接続されるタブ線接続部１４を有する。
【００２５】
そして、太陽電池セル２は、タブ線３によって、表面に形成された各バスバー電極１１と、隣接する太陽電池セル２の裏面電極１３とが電気的に接続され、これにより直列に接続されたストリングス４を構成する。タブ線３とバスバー電極１１及び裏面電極１３とは、タブ線３の外周面に設けられた接着剤層１６によって接続される。
【００２６】
［タブ線］
タブ線３は、図２に示すように、隣接する太陽電池セル２Ｘ、２Ｙ、２Ｚの各間を電気的に接続するものであり、図４に示すように、例えば、直径が０．２ｍｍ〜２．０ｍの線材１５を備え、線材１５の外周面には太陽電池セル２のバスバー電極１１や裏面電極１３との接着を図る接着剤層１６が設けられている。
【００２７】
線材１５は、線状の導電材からなり、例えば銅ワイヤーや金ワイヤー、アルミワイヤーなどの導電性を有する材料が用いられる。太陽電池モジュール１は、タブ線３として、線状の導電性のワイヤーからなる線材１５を用いることにより、圧延銅箔を形成しスリットする工程や、銅線を平板状に圧延する工程が不要となり、製造設備や工数の削減を図ることができ、また、製造コストを抑えることもできる。また、太陽電池モジュール１は、タブ線３として、線材１５を用いることにより、平板状のタブ線を用いた場合に比して、太陽電池セル２の受光面に載置される面積を狭小化することができ、シャドーロスによる光電変換効率の低減を抑えることができる。
【００２８】
［断面積］
線材１５は、断面積が０．５〜１３．０ｍｍ２の範囲のものを用いる。これは、太陽電池モジュール１は、タブ線３を介して各太陽電池セル２を電気的に接続するものであるため、線材１５の断面積が０．５ｍｍ２よりも小さいとタブ線３の導通抵抗が高くなり、光電変換効率が低減するおそれがあるためである。また、太陽電池モジュール１は、タブ線３が太陽電池セル２の受光面に接着されるため、線材１５の断面積が１３．０ｍｍ２よりも大きくなると、タブ線３によるシャドーロスの影響が大きくなるおそれがあるためである。
【００２９】
［楕円形］
また、線材１５は、断面が円形又は楕円形のものを用いることができる。この場合、図５に示すように、線材１５は、断面を構成する円（楕円）の中心を通る直交座標のｘ軸（長軸）の半径をｂ、ｙ軸（短軸）の半径をａとした場合、以下の関係を満たす。
０．４≦ａ≦２  （単位ｍｍ）
ａ≦ｂ≦２  （単位ｍｍ）
これにより、タブ線３は、上述した断面積の範囲を満たし、導通抵抗の上昇やシャドーロスの影響を抑えることができる。
【００３０】
［接着剤層］
接着剤層１６は、線材１５の外周面を覆うことにより、タブ線３を太陽電池セル２のバスバー電極１１や裏面電極１３に接着させるものである。接着剤層１６は、図６（ａ）（ｂ）に示すように、ペースト状に形成し、予めタブ線３の線材１５の外周面を被覆してもよく、あるいはフィルム状に形成し、太陽電池セル２の各電極１１，１３にタブ線３を接着させる際に、電極１１，１３上に配置し、線材１５をこの接着フィルム上に配置した後、加熱ボンダー２０により加熱押圧することにより線材１５の外周面を被覆してもよい（図４）。また、太陽電池セル２に未硬化の接着剤層１６、封止材を積層させ、ラミネート工程にて接着層１６を硬化させる一括接続方法を用いることもできる。
【００３１】
接着剤層１６は、図７に示すように、導電性粒子２３が高密度に含有された熱硬化性のバインダー樹脂層である。また、接着剤層１６は、押し込み性の観点から、バインダー樹脂の最低溶融粘度が、１００〜１０００００Ｐａ・ｓであることが好ましい。接着剤層１６は、最低溶融粘度が低すぎると低圧着から本硬化の過程で樹脂が流動してしまい接続不良やセル受光面へのはみ出しが生じやすく、受光率低下の原因ともなる。また、最低溶融粘度が高すぎてもフィルム貼着時に不良を発生しやすく、接続信頼性に悪影響が出る場合もある。なお、最低溶融粘度については、サンプルを所定量回転式粘度計に装填し、所定の昇温速度で上昇させながら測定することができる。
【００３２】
接着剤層１６に用いられる導電性粒子２３としては、特に制限されず、例えば、ニッケル、金、銀、銅などの金属粒子、樹脂粒子に金めっきなどを施したもの、樹脂粒子に金めっきを施した粒子の最外層に絶縁被覆を施したものなどを挙げることができる。なお、導電性粒子２３として、扁平なフレーク状金属粒子を含有することにより、互いに重なり合う導電性粒子２３の数を増加させ、良好な導通信頼性を確保することができる。
【００３３】
また、接着剤層１６は、常温付近での粘度が１０〜１００００ｋＰａ・ｓであることが好ましく、さらに好ましくは、１０〜５０００ｋＰａ・ｓである。接着剤層１６の粘度が１０〜１００００ｋＰａ・ｓの範囲であることにより、接着剤層１６をテープ状のリール巻とした場合において、いわゆるはみ出しを防止することができ、また、所定のタック力を維持することができる。
【００３４】
接着剤層１６のバインダー樹脂層の組成は、上述のような特徴を害さない限り、特に制限されないが、より好ましくは、膜形成樹脂と、液状エポキシ樹脂と、潜在性硬化剤と、シランカップリング剤とを含有する。
【００３５】
膜形成樹脂は、平均分子量が１００００以上の高分子量樹脂に相当し、フィルム形成性の観点から、１００００〜８００００程度の平均分子量であることが好ましい。膜形成樹脂としては、エポキシ樹脂、変性エポキシ樹脂、ウレタン樹脂、フェノキシ樹脂等の種々の樹脂を使用することができ、その中でも膜形成状態、接続信頼性等の観点からフェノキシ樹脂が好適に用いられる。
【００３６】
液状エポキシ樹脂としては、常温で流動性を有していれば、特に制限はなく、市販のエポキシ樹脂が全て使用可能である。このようなエポキシ樹脂としては、具体的には、ナフタレン型エポキシ樹脂、ビフェニル型エポキシ樹脂、フェノールノボラック型エポキシ樹脂、ビスフェノール型エポキシ樹脂、スチルベン型エポキシ樹脂、トリフェノールメタン型エポキシ樹脂、フェノールアラルキル型エポキシ樹脂、ナフトール型エポキシ樹脂、ジシクロペンタジエン型エポキシ樹脂、トリフェニルメタン型エポキシ樹脂などを用いることができる。これらは単独でも、２種以上を組み合わせて用いてもよい。また、アクリル樹脂など他の有機樹脂と適宜組み合わせて使用してもよい。
【００３７】
潜在性硬化剤としては、加熱硬化型、ＵＶ硬化型などの各種硬化剤が使用できる。潜在性硬化剤は、通常では反応せず、何かしらのトリガーにより活性化し、反応を開始する。トリガーには、熱、光、加圧などがあり、用途により選択して用いることができる。液状エポキシ樹脂を使用する場合は、イミダゾール類、アミン類、スルホニウム塩、オニウム塩などからなる潜在性硬化剤を使用することができる。
【００３８】
シランカップリング剤としては、エポキシ系、アミノ系、メルカプト・スルフィド系、ウレイド系などを用いることができる。これらの中でも、本実施の形態では、エポキシ系シランカップリング剤が好ましく用いられる。これにより、有機材料と無機材料の界面における接着性を向上させることができる。
【００３９】
また、その他の添加組成物として、無機フィラーを含有することが好ましい。無機フィラーを含有することにより、圧着時における樹脂層の流動性を調整し、粒子捕捉率を向上させることができる。無機フィラーとしては、シリカ、タルク、酸化チタン、炭酸カルシウム、酸化マグネシウム等を用いることができ、無機フィラーの種類は特に限定されるものではない。
【００４０】
図８は、接着剤層１６の製品形態の一例を模式的に示す図である。この接着剤層１６は、剥離基材２４上にバインダー樹脂層が積層され、テープ状に成型されている。このテープ状の導電性接着フィルムは、リール２５に剥離基材２４が外周側となるように巻回積層される。剥離基材２４としては、特に制限はなく、ＰＥＴ（Poly Ethylene Terephthalate）、ＯＰＰ（Oriented Polypropylene）、ＰＭＰ（Poly-4-methylpentene−1）、ＰＴＦＥ（Polytetrafluoroethylene）などを用いることができる。また、接着剤層１６は、バインダー樹脂層上に透明なカバーフィルムを有する構成としてもよい。
【００４１】
上記では、接着剤層１６として、フィルム形状を有する導電性接着フィルムについて説明したが、ペースト状であっても問題は無い。また、接着剤層１６は、バインダー樹脂層に導電性粒子を含有しない絶縁性接着剤であってもよい。絶縁性接着剤を用いた場合、タブ線３は、線材１５が直接バスバー電極１１や裏面電極１３と接触し、導通が図られ、接着剤層１６はその周囲を封止することにより接着する。本願では、導電性粒子２３を含有するフィルム状またはペースト状の導電性接着剤、及び導電性粒子２３を含有しないフィルム状またはペースト状の絶縁性接着剤を「接着剤層１６」と定義する。
【００４２】
なお、接着剤層１６は、リール形状に限らず、短冊形状であってもよい。図８に示すように接着剤層１６が巻き取られたリール製品として提供される場合、接着剤層１６の粘度を１０〜１００００ｋＰａ・ｓの範囲とすることにより、接着剤層１６の変形を防止し、所定の寸法を維持することができる。また、接着剤層１６が短冊形状で２枚以上積層された場合も同様に、変形を防止し、所定の寸法を維持することができる。
【００４３】
このような接着剤層１６は、導電性粒子２３と、膜形成樹脂と、液状エポキシ樹脂と、潜在性硬化剤と、シランカップリング剤とを溶剤に溶解させる。溶剤としては、トルエン、酢酸エチルなど、又はこれらの混合溶剤を用いることができる。
【００４４】
溶解させて得られた樹脂生成用溶液は、線材１５に塗布された後、乾燥させて溶剤を揮発させることにより、予め接着剤層１６が線材１５の外周面に設けられたタブ線３を得る。タブ線３を各電極１１，１３に接着する際には、タブ線３がバスバー電極１１上及び裏面電極１３のタブ線接続部１４上に配置され、タブ線３の上から加熱ボンダーによって所定の温度、圧力で熱加圧される。これにより、タブ線３は、接着剤層１６のバインダー樹脂が線材１５の外周面を流動して各電極１１，１３と接触する接着部の間で硬化し、導電性粒子２３がタブ線３とバスバー電極１１や裏面電極１３との間で挟持される。これにより、接着剤層１６は、タブ線３を各電極上に接着させると共に、導通接続させることができる。
【００４５】
一方、接着剤層１６をフィルム状に形成する場合、溶解させて得られた樹脂生成用溶液を剥離シート上に塗布し、溶剤を揮発させることにより、接着フィルムを得る。接着フィルムは、バスバー電極用及び裏面電極用に所定の長さにカットされ、剥離シートが剥離された後、接着剤層１６が太陽電池セル２の表裏面の各電極１１，１３上に仮貼りされる。同様に、所定の長さにカットされた線材１５が接着剤層１６上に重畳配置される。その後、接着剤層１６は、タブ線３の上から加熱ボンダーによって所定の温度、圧力で熱加圧される。これにより、タブ線３は、バインダー樹脂が流動して線材１５の各電極１１，１３と接触する接着部を含む外周面を覆った後に硬化して、導電性粒子２３がタブ線３とバスバー電極１１や裏面電極１３との間で挟持される。これにより、接着剤層１６は、タブ線３を各電極上に接着させると共に、導通接続させることができる。
【００４６】
［接着剤層１６の被覆率］
接着剤層１６は、少なくとも線材１５の外周面の５０％を覆い、好ましくは５０〜８０％を覆う。これは、接着剤層１６による線材１５の外周面の被覆率が５０％より低いと、線材１５と各電極１１，１３との接着に必要な量を確保できず、接着強度が足りなくなるおそれがあるためである。また、接着剤層１６による線材１５の外周面の被覆率は、８０％程度まであれば接着強度の確保に十分であるが、９０％より高くなると、線材１５の熱加圧時に、バインダー樹脂がバスバー電極１１上から太陽電池セル２の受光面上にはみ出し、受光効率が低下するおそれがあるためである。
【００４７】
接着剤層１６による線材１５の外周面の被覆率は、予め線材１５の外周面に接着剤層１６を設けたタブ線３では、線材１５の表面積のうち、接着剤層１６によって被覆されている面積と、線材１５が露出している面積との比によって求める。
【００４８】
また、各電極１１，１３上に配置されるフィルム状の接着剤層１６の線材１５の被覆率は、線材１５を熱加圧した際に、線材１５の表面積のうち、接着剤層１６によって被覆されている面積と、線材１５が露出している面積との比によって求める。
【００４９】
なお、上述した実施の形態では、太陽電池セル２として、バスバー電極１１を有するものを例に説明したが、本発明は、バスバー電極１１を有さずタブ線３を直接フィンガー電極１２上に接着するいわゆるバスバーレス構造の太陽電池セル２に適用することもできる。なお、バスバーレス構造には、例えば太陽電池セル２の中央部にバスバー電極１１を設けない間欠部を有するとともに太陽電池セルの外側縁部にのみ部分的にバスバー電極１１を備えた構造も含む。
【実施例】
【００５０】
次いで、本発明の実施例について比較例とともに説明する。図９は実施例を説明する斜視図であり、図１０は比較例を説明する斜視図である。実施例、比較例ともに、予め接着剤層１６によって被覆された長さ５ｃｍのタブ線を用い、各タブ線を、表面に全面Ａｇ電極３０が形成されたガラス基板３１の当該Ａｇ電極３０に２本ずつ熱加圧して接着した。熱加圧条件は、いずれも１８０℃、１５ｓｅｃ、０．５ＭＰａとした。サンプル作成後、タブ線の接着強度（Ｎ／ｍｍ）、２つのタブ線間における初期抵抗値（ｍΩ）及び熱衝撃試験（８５℃、８５％ＲＨ、５００ｈｒ）後の抵抗値（ｍΩ）を測定した。
【００５１】
接着強度、抵抗値測定の具体的な方法としては、接着強度は、各タブ線をＡｇ電極３０に接着された接着剤層１６から９０°方向で剥離する９０°剥離試験（ＪＩＳ  Ｋ６８５４−１）を行い、接着強度（Ｎ／ｍｍ）を測定した。また、抵抗値は２本のタブ線上より電流端子及び電圧端子をそれぞれ接続する４端子法により抵抗値（ｍΩ）を測定した。
【００５２】
実施例１は、線材１５として円柱状の銅ワイヤーを用いた。線材１５の断面は、半径１．０ｍｍの円形で、断面積が３．１４ｍｍ２である。また、導電性粒子を含有した接着剤層１６によって線材１５の外周面を被覆し、被覆率は５０％とした。また、接着剤層１６の厚さは１０μｍである。
【００５３】
実施例２は、接着剤層１６の被覆率を６０％とした以外は、実施例１と同条件とした。
【００５４】
実施例３は、接着剤層１６の被覆率を８０％とした以外は、実施例１と同条件とした。
【００５５】
実施例４は、接着剤層１６の被覆率を９０％とした以外は、実施例１と同条件とした。
【００５６】
実施例５は、線材１５の断面が、半径０．４５ｍｍの円形で、断面積が０．６４ｍｍ２であり、接着剤層１６による線材１５の外周面の被覆率を８０％とした以外は、実施例１と同条件とした。
【００５７】
実施例６は、線材１５の断面が、半径２．００ｍｍの円形で、断面積が１２．５６ｍｍ２であり、接着剤層１６による線材１５の外周面の被覆率を８０％とした以外は、実施例１と同条件とした。
【００５８】
実施例７は、線材１５として断面楕円形状の銅ワイヤーを用いた。線材１５の断面は、長軸ｂが０．７０ｍｍ、短軸ａが０．６０ｍｍの楕円形で、断面積が１．３２ｍｍ２である。また、導電性粒子を含有した接着剤層１６によって線材１５の外周面を被覆し、被覆率は８０％とした。また、接着剤層１６の厚さは１０μｍである。
【００５９】
実施例８は、導電性粒子を含有しない接着剤層１６によって線材１５の外周面を被覆し、被覆率を８０％とした以外は、実施例１と同条件とした。
【００６０】
比較例１は、平角形状の銅箔を用いた。銅箔は、幅２ｍｍ、厚さ５０μｍであり、断面積が１．２６ｍｍ２である。また、導電性粒子を含有した接着剤層１６によって銅箔の両面を被覆した。また、接着剤層１６の厚さは２０μｍである。
【００６１】
なお、接着剤層１６は、エポキシ樹脂及び潜在性硬化剤、これらを希釈するための有機溶剤（トルエン）を配合し、接着剤溶液を作成した。導電性を有する接着剤層１６では、さらに２〜５μｍのニッケル粒子を重量比５％ｔとなるように配合した。実施例１〜８では、この接着剤溶液を線材１５の外周面を５０〜９０％覆うように塗布、乾燥させた。また比較例１では、この接着剤溶液を厚さ５０μｍの銅箔上に塗布、乾燥させた後、幅２ｍｍ、長さ５ｃｍにカットした。
【００６２】
測定結果を表１に示す。
【００６３】
【表１】
0005798772.tif 000002
【００６４】
表１に示すように、実施例１〜８では、０．５ＭＰａといった低圧力での押圧にもかかわらず、いずれも接着強度が、０．６〜２．０Ｎ／ｍｍとなり、実用に耐えられるものであることがわかる。また、実施例１〜８では、いずれも初期の導通抵抗値が５〜１０ｍΩであり、また、熱衝撃試験後においても８〜１３ｍΩであった。これにより、実施例１〜８では、初期値及び熱衝撃試験後の抵抗値の上昇も殆ど見られず、光電変換効率が低減することがない。一方、比較例１においては、接着強度は１．６Ｎ／ｍｍと良好であったが、初期の導通抵抗が５０ｍΩと高く、熱衝撃試験後は導通不良のために抵抗値を検出することができなかった。
【符号の説明】
【００６５】
１  太陽電池モジュール、２  太陽電池セル、３  タブ線、４  ストリングス、５  マトリクス、６  シート、７  表面カバー、８  バックシート、９  金属フレーム、１０  光電変換素子、１１  バスバー電極、１２  フィンガー電極、１３  裏面電極、１４  タブ線接続部、１５  線材、１６  接着剤層、２３  導電性粒子、２４  剥離基材、２５  リール、３０  Ａｇ電極、３１  ガラス基板
【図１】
0005798772.tif 000003
【図２】
0005798772.tif 000004
【図３】
0005798772.tif 000005
【図４】
0005798772.tif 000006
【図５】
0005798772.tif 000007
【図６】
0005798772.tif 000008
【図７】
0005798772.tif 000009
【図８】
0005798772.tif 000010
【図９】
0005798772.tif 000011
【図１０】
0005798772.tif 000012
【図１１】
0005798772.tif 000013